(57)【要約】      （修正有）【課題】簡単な構造で、良好な安定性を持って重ね置きできる物置箱を提供する。【解決手段】相対する両側の下部に支持部材として支持棒２が設けられている。この支持棒２は、好ましくは、例えば鉄線などの剛性材料で作られている。支持棒２は、鉄線を適当な形状に曲げ加工し、その一部を箱１に差し込んで固定し、残部を箱の外に露出させ、箱の底辺と平行に延長させてある。その露出された部分の両側に下方開口の凹部が形成されている。それにより、複数個の箱１が高さ方向に重ね置きされた場合に、上側の箱の支持棒２の両側の凹部が下側の箱の上端縁に係合し、凹部の間の部分が下側の箱の上端縁を支持して、係合状態が安定して保持されている。【選択図】図２
0003106513.tif 000002
【実用新案登録請求の範囲】
【請求項１】
各物置箱の相対する両側の下部に支持部材を設けて、その物置箱を高さ方向に重ね置いた場合に、上下の物置箱が前記支持部材によって互いに支持して連結されるようにしたことを特徴とする物置箱の重ね置き構造。
【請求項２】
支持部材は、曲げ加工により凹部を有する支持棒であり、その凹部を下側の物置箱の上端縁に係合させることにより、上下の物置箱が連結されることを特徴とする請求項１に記載の物置箱の重ね置き構造。
【請求項３】
支持部材は、断面形状が起立された変形Ｚ字形に形成された外曲げ型又は内曲げ型の支持板であって、その支持板の上部が物置箱の相対する両側の下部に固定され、その支持板の下部を下側の物置箱の上端縁に係合させることにより、上下の物置箱が連結されることを特徴とする請求項１に記載の物置箱の重ね置き構造。
【請求項４】
平坦な固定部とその固定部からＳ字形に延出する係合部とを一体に有する支持板を、前記固定部において物置箱の相対する両側の下部又は上部に固定し、前記係合部を下側の物置箱の上端縁又は下端縁に係合させることにより、上下の物置箱が連結されることを特徴とする物置箱の重ね置き構造。
【考案の詳細な説明】
【技術分野】
【０００１】
本考案は、物置箱の重ね置き構造に関する。
【背景技術】
【０００２】
現在周知の物置箱は、種類が多く、例えば、あるものは体積を小さくして、収納及び貯蔵、運搬を便利にするため、軟質素材を用いて矩形の箱体を作り、その箱体の上端周縁にそれぞれ上部水平棒を設け、箱体の下端相対両辺にはそれぞれ下部水平棒を設け、箱体の四つの垂直辺にはそれぞれ立て棒を設けてあり、隣接する上部水平棒の端部の間、隣接する下水平棒の端部の間、及び立て棒と上、下の水平棒の端部の間に適当な距離を維持してあり、その箱体の各垂直壁面には対角線に沿って交差するように現われる折線が形成されてある。このような構造により、軟質の箱体はそれら立て棒と上下の水平棒によって品物が置ける物置箱として支えられ、かつ捩りまわせば扁平状に折り畳むことができる。
【考案の開示】
【考案が解決しようとする課題】
【０００３】
ところが、上記周知の折り畳み機能を有する物置箱は、二つの物置箱を互いに重ね置きした場合、折り畳み可能な構造自身の弱点によって安定した重ね置きが得られないので、改善する必要がある。
【０００４】
本考案の主な目的は、伝統的な折り畳み可能な物置箱が自身の構造の弱点により、重ね置き時に良好な安定性が得られない欠点を解決することにある。
本考案の他の目的は、構造が簡単で、物置箱に対する取付け及び取外しがともに容易にできる、重ね置き構造用支持部材を提供することにある。
【課題を解決するための手段】
【０００５】
上記主たる目的は、各物置箱の相対する両側の下部に支持部材を設けて、その物置箱を高さ方向に重ね置いた場合に、前記支持部材によって上下の物置箱が互いに支持して連結されるように構成することにより達成される。
【０００６】
上記支持部材には、曲げ加工により凹部を有する支持棒を用い、その凹部を下側の物置箱の上端縁に係合させることにより、上下の物置箱が連結されるように構成することができる。
【０００７】
また、上記支持部材は、断面形状が起立された変形Ｚ字形に形成された外曲げ型又は内曲げ型の支持板とし、その支持板の上部を物置箱の相対する両側の下部に固定し、その支持板の下部を下側の物置箱の上端縁に係合させることにより、上下の物置箱が連結されるように構成することもできる。
【０００８】
上記主たる目的は、さらに、平坦な固定部とその固定部からＳ字形に延出する係合部とを一体に有する支持板を、前記固定部において物置箱の相対する両側壁の下部又は上部に固定し、前記係合部を下側の物置箱の上端縁又は下端縁に係合させることにより、上下の物置箱が連結されるように構成することによっても達成できる。
【考案の効果】
【０００９】
請求項１の考案によれば、各物置箱の相対する両側の下部に支持部材を設けるだけの簡単な構成により、物置箱を高さ方向に重ね置いた場合に、前記支持部材によって上下の物置箱を互いに支持して連結することができる。
【００１０】
請求項２の考案によれば、支持部材を安価な材料の簡単な加工により作ることができ、外観も簡素である。
【００１１】
請求項３の考案によれば、同一の支持板を用いて、支持板の上部を物置箱に対して堅固に固定することができ、かつ、支持板の下部を下側の物置箱の上端縁の外側に位置させるか、内側に位置させるかを任意に選択することができる。
【００１２】
請求項４の考案によれば、同一の支持板を用い、物置箱に対する取付け位置を変えるだけで、高さ方向に順次幅の小さな、又は順次幅の大きな物置箱を重ね置くことができる。
【考案を実施するための最良の形態】
【００１３】
以下に、本考案を図面を参照しながら詳しく説明する。
図１は、本考案の第一実施例を示す斜視図、図２は同実施例の積み重ねた状態を示す斜視図、図３は第二実施例を示す斜視図、図４は同実施例の積み重ねた状態を示す斜視図、図５は第三実施例を示す斜視図、図６は同実施例の積み重ねた状態を示す斜視図、図７は支持部材の一例を示す斜視図、図８は同支持部材を用いた実施例による積み重ね状態を示す縦断面図、図９は支持部材の他例を示す斜視図、図１０は同支持部材を用いた実施例による積み重ね状態を示す縦断面図、図１１は支持部材のさらに他例を示す斜視図、図１２は同支持部材を用いた実施例による積み重ね状態を示す縦断面図、図１３はさらに他の実施例を示す斜視図である。
【００１４】
図１に示す第一実施例による物置箱（以下、単に箱という場合がある。）１には、その相対する両側の下部に支持部材として支持棒２が設けられている。この支持棒２は、好ましくは、例えば鉄線などの剛性材料で作られている。図示の例では、支持棒２は、鉄線を適当な形状に曲げ加工し、その一部を箱１に差し込んで固定し、残部を箱の外に露出させ、箱の底辺と平行に延長させてある。その露出された部分の両側に下方開口の凹部が形成されている。それにより、複数個の箱１が図２に示すように高さ方向に重ね置きされた場合に、上側の箱の支持棒２の両側の凹部が下側の箱の上端縁に係合し、凹部の間の部分が下側の箱の上端縁を支持して、係合状態が安定して保持されている。
【００１５】
図３に示す第二実施例は、支持部材として、薄鋼板を断面形状偏平Ｚ字形に加工して作られた支持板３を用い、物置箱１の相対する両側の下端部のそれぞれに複数個の支持板３を、下部折曲片が箱の側面の外側に位置する状態で、上部折曲片において箱に固定している。
この物置箱１は、図４に示すように重ね置きされた場合は、上側の箱の支持板３が下側の箱の上端縁に係止して、安定した状態で連結される。
【００１６】
図５に示す第三実施例は、第二実施例における支持板３の箱に対する取付け態様を変えたものである。すなわち、支持板４は、物置箱１の相対する両側の下端部のそれぞれに、支持板３の下部折曲片が箱の側面よりも内側に位置する状態で、支持板３の上部折曲片において箱に固定してある。
この物置箱１は、図６に示すように重ね置きされた場合は、上側の箱の支持板４が下側の箱の上端縁に係止して、安定した状態で連結される。第二実施例においては、支持板の下部が下側の箱の外側に露出されるのに対し、第三実施例において、支持板の下部が下側の箱の内側に隠蔽される違いがある。
【００１７】
図７は、本考案の第四実施例において用いられる支持部材５を示している。支持部材５は、断面Ｈ字形に作られており、その両側に凹溝５１を有する。この支持部材５は、図８に例示するように、下側の箱１の相対する側壁の上端縁に複数個ずつ、下側の凹溝５１に上端縁を嵌合することにより装着され、それぞれの支持部材の上側の凹溝に上側の箱の同一側の下端縁を嵌合することにより、上下の箱を安定した状態で重ね置くことができる。図７は上下３個の箱を順次重ねおいた状態を示している。
【００１８】
図９ないし図１２は、本考案の第五実施例を示す。この実施例においては、支持部材６は、一端部に平坦な固定部６１を有し、残部は断面Ｓ字形に形成された係合部６２を有している。支持部材６は、箱に対して２種類の取付け態様を採用することができ、一種の取付け態様を採用する場合は、箱が高さ方向に順次小さくなるように重ね置くことができ、他種の取付け態様を採用する場合は、箱が高さ方向に順次大きくなるように重ね置くことができる。
【００１９】
支持部材６を、図１０に示すように、箱の相対する側面の下端付近に固定部６１において固定し、係合部６２を下向きに開口させて取付けた場合は、箱１を重ね置きする際に、下側の箱の上端縁が支持部材６の係合部６２に嵌合して安定した状態で保持することができる。
【００２０】
これに対して、支持部材６を、図１２に示すように、箱の相対する側面の上端付近に固定部６１において固定し、係合部６２を上向きに開口させて取付けた場合は、箱１を重ね置きする際に、上側の箱の下端縁が支持部材６の係合部６２に嵌合して安定した状態で保持することができる。
【００２１】
本考案は、別の実施例として図１３に示すように、吊り掛け方式を採用することもできる。すなわち、垂直に排列される複数の物置箱は、相互間を複数の支持部材７で連結してある。支持部材７はその両端部がそれぞれ上下の箱にピン、リベットその他の軸で回転自在に結合されている。そして、最上の箱に吊り紐が結合されている。
従って、吊り紐を持ち上げると、各箱の重みにより支持部材が垂直状態になり、各箱が離間されるが、箱を床上などにおき、吊り紐を放すと、各支持部材が回動して、下側の箱の上端縁に上側の箱の底辺が乗る状態で重ね置きされる。
【００２２】
上述された各実施例における物置箱は、図１４に示すように、箱の支持部材が取付けられる両側の壁以外の相対する両側の壁に折線が設けられており、使用者はその折線に向かって箱の内方に又は外方に力を加えると、物置箱を空間を占めない扁平状に折り畳むことができる。こうして、不使用時は箱の占める空間を最小にすることができる。
【図面の簡単な説明】
【００２３】
【図１】本考案の第一実施例を示す斜視図。
【図２】同実施例の積み重ねた状態を示す斜視図。
【図３】第二実施例を示す斜視図。
【図４】同実施例の積み重ねた状態を示す斜視図。
【図５】第三実施例を示す斜視図。
【図６】支持部材の一例を示す斜視図。
【図７】同実施例の積み重ねた状態を示す斜視図。
【図８】同支持部材を用いた実施例による積み重ね状態を示す縦断面図。
【図９】支持部材の他例を示す斜視図。
【図１０】同支持部材を用いた実施例による積み重ね状態を示す縦断面図。
【図１１】支持部材のさらに他例を示す斜視図。
【図１２】同支持部材を用いた実施例による積み重ね状態を示す縦断面図。
【図１３】さらに他の実施例を示す斜視図。
【図１４】置物箱を折畳んだ状態を示す斜視図。
【符号の説明】
【００２４】
１      物置箱
２      支持部材（支持棒）
３，４  支持部材（支持板）
５      支持部材
６      支持部材
６１  固定部
６２  係合部
７      支持部材
【図１】
0003106513.tif 000003
【図２】
0003106513.tif 000004
【図３】
0003106513.tif 000005
【図４】
0003106513.tif 000006
【図５】
0003106513.tif 000007
【図６】
0003106513.tif 000008
【図７】
0003106513.tif 000009
【図８】
0003106513.tif 000010
【図９】
0003106513.tif 000011
【図１０】
0003106513.tif 000012
【図１１】
0003106513.tif 000013
【図１２】
0003106513.tif 000014
【図１３】
0003106513.tif 000015
【図１４】
0003106513.tif 000016